(57)【要約】  本発明は、前方支持部（１）とフィルタ装置（５）を含む衣類乾燥機を開示する。前記前方支持部（１）には乾燥通気ダクトが設置されており、乾燥通気ダクトの排風口が衣類乾燥機内部の循環通気ダクトと連通している。また、乾燥通気ダクトの吸風口は衣類乾燥機の衣類処理室と連通している。前記フィルタ装置（５）は、前記吸風口から通気ダクトの内部に挿入及び装着されるとともに、乾燥通気ダクトの断面全体を覆う。前方支持部（１）の内部スペースにはフィルタ装置（５）全体を収容及び装着可能である。これにより、従来技術では乾燥通気ダクトのスペースが狭いことからフィルタネットを１層しか設置できないとの課題が解決される。また、空気抵抗が大きくなり、フィルタネットが目詰まりしやすいことからフィルタネットのメッシュ数を十分に大きくできないとの点については、当該衣類乾燥機では、フィルタ装置（５）全体を乾燥通気ダクトの内部に設置することで、フィルタ装置（５）による糸くずの遮断面積を拡大し、濾過効率を向上させる。【選択図】図１
2021501664.tif 000002
【特許請求の範囲】
【請求項１】
前方支持部とフィルタ装置を含む衣類乾燥機であって、
前記前方支持部には乾燥通気ダクトが設置されており、前記乾燥通気ダクトの排風口は前記衣類乾燥機内部の循環通気ダクトと連通しており、前記乾燥通気ダクトの吸風口は前記衣類乾燥機の衣類処理室と連通しており、前記フィルタ装置は、前記吸風口から前記乾燥通気ダクトの内部に挿入及び装着されるとともに、前記乾燥通気ダクトの断面全体を覆うことを特徴とする衣類乾燥機。
【請求項２】
前記乾燥通気ダクトは装着室を含み、前記装着室は前記乾燥通気ダクトの前記排風口に対向して設置され、前記フィルタ装置は前記装着室の内部に装着されて前記排風口を覆うことを特徴とする請求項１に記載の衣類乾燥機。
【請求項３】
前記乾燥通気ダクトは装着室と連通する案内部を含み、前記案内部によって前記装着室に対する前記フィルタ装置の挿抜を案内することを特徴とする請求項１又は２に記載の衣類乾燥機。
【請求項４】
前記案内部は傾斜状又は垂直に設けられる経路であり、前記経路は前記装着室と連通しており、前記フィルタ装置は当該経路に沿って前記装着室の内部に装着されることを特徴とする請求項３に記載の衣類乾燥機。
【請求項５】
前記フィルタ装置はシート状構造をなしており、前記装着室は前記フィルタ装置の形状と一致しており、シート状構造の前記フィルタ装置は、全体が前記装着室の内部に装着されて前記装着室の横断面を覆うことを特徴とする請求項２〜４のいずれか１項に記載の衣類乾燥機。
【請求項６】
案内部は傾斜状に設けられる経路であり、前記フィルタ装置は、前記案内部の両側の内壁を回避する斜辺構造を有しており、
好ましくは、前記フィルタ装置のうち前記傾斜状の前記案内部と接触する両側辺には互いに平行な斜辺が設けられていることを特徴とする請求項５に記載の衣類乾燥機。
【請求項７】
前記傾斜状の前記案内部は互いに連通する第１傾斜経路と第２傾斜経路を含み、前記第１傾斜経路の入口は前記吸風口であり、前記第１傾斜経路の傾斜度は前記第２傾斜経路よりも大きいことを特徴とする請求項６に記載の衣類乾燥機。
【請求項８】
前記案内部は、水平方向の横断面の横方向の長さが前記フィルタ装置を水平面に投影したときの長さのうち最大の横方向の長さよりも大きく、
前記装着室と前記案内部を連通する連通口は、水平方向における横方向の長さが前記フィルタ装置を水平面に投影したときの長さよりも大きいことを特徴とする請求項３〜７のいずれか１項に記載の衣類乾燥機。
【請求項９】
前記フィルタ装置は、サイドフレームと、前記サイドフレームの内側に設置されるフィルタネットと、摘み部を含み、前記摘み部は、前記サイドフレームに設けられるとともに前記フィルタネットと同一平面に位置することを特徴とする請求項１〜８のいずれか１項に記載の衣類乾燥機。
【請求項１０】
前記乾燥通気ダクトの吸風口箇所には吸風フィルタ装置が設置されており、
好ましくは、前記吸風フィルタ装置はシート状構造をなしており、前記吸風フィルタ装置は、前記吸風口から前記乾燥通気ダクトの前記吸風口箇所に挿接及び固定されるか、
或いは、前記前方支持部に前記乾燥通気ダクトと連通する挿入口が設置されており、前記吸風フィルタ装置は前記挿入口から前記吸風口箇所に挿入されるか、
或いは、前記吸風フィルタ装置は、前記吸風口の上部を覆うように装着されて前記吸風口を覆うことを特徴とする請求項１〜９のいずれか１項に記載の衣類乾燥機。
【発明の詳細な説明】
【技術分野】
【０００１】
本発明は乾燥機の分野に関し、特に、濾過性能が良好な衣類乾燥機に関する。
【背景技術】
【０００２】
衣類乾燥機で衣類を乾燥する過程では細かい繊維が発生する。そのため、通常は、衣類乾燥機の衣類投入口の下方に繊維を濾過するための１つ又は２つのフィルタネットが設置されている。しかし、フィルタネットを設置できるだけの十分なスペースが必要となるため、スペースが十分でない場合にはフィルタネットを１層しか設置できない。また、フィルタネットのメッシュ数を十分に大きくすることも不可能である。これは、空気抵抗が大きくなり、フィルタネットが目詰まりしやすくなるためである。或いは、従来の衣類乾燥機では、フィルタネットの装着を実現すべく、フロントパネルにフィルタ装置の着脱口が開設されるため、衣類乾燥機のフロントパネルの見た目が全体として損なわれている。つまり、衣類乾燥機の外観に複数のモジュールが設計されることで、全体としての美しさを欠いている。
【０００３】
衣類乾燥機にフィルタネットが１層だけ設置される場合には、往々にして良好な濾過効果の保証が難しくなる。そのため、通常の衣類乾燥機では、衣類投入口の下方スペースにフィルタネットを１層しか設置できない場合、衣類乾燥機の凝縮器を清潔に保つべく、２つ目のフィルタネットを設置する必要がある。しかし、スペースの限界から、一般的な構造の通気ダクトにはフィルタネットを装着できない。
【０００４】
特許文献１は、衣類乾燥機の直挿式フィルタ装置を開示している。当該フィルタ装置は衣類乾燥機の排風路の入口に設置され、フィルタ及びフィルタの固定フレームを含む。前記固定フレームの挿入口は衣類乾燥機の回転槽の前方支持部材に設置されている。前記フィルタは矩形の外フレームを有し、前記矩形の外フレームを介して前方支持部材の挿入口から前記排風路に挿設される。当該フィルタ装置の特徴として、前記矩形の外フレームの平行な２つの側面には弾性係合片が設けられており、前記固定フレームの側壁には前記弾性係合片と係合する位置規制係合孔が設けられている。前記弾性係合片が前記位置規制係合孔に係合することで、フィルタの係合位置の堅牢度及び精度が向上するとともに、フィルタ装置の使用寿命が長くなる。しかし、当該特許文献１では、フィルタネットの迅速な着脱を実現してはいるものの、フィルタネットを通気ダクトの内部に装着しているわけではない。よって、装着スペースを大きく占有しており、２つのフィルタネットを装着するには不利である。
【０００５】
上記に鑑みて、本発明を提案する。
【先行技術文献】
【特許文献】
【０００６】
【特許文献１】中国特許出願第２００６１０１５６１８４．６号明細書
【発明の概要】
【発明が解決しようとする課題】
【０００７】
本発明は、従来技術の瑕疵を解消し、前方支持部の内部スペースにフィルタ装置全体を収容及び装着可能な衣類乾燥機を提供することを解決しようとする技術的課題とする。これにより、従来技術では乾燥通気ダクトのスペースが狭いことからフィルタネットを１層しか設置できないとの課題が解決される。また、空気抵抗が大きくなり、フィルタネットが目詰まりしやすいことからフィルタネットのメッシュ数を十分に大きくできないとの点については、本発明では、フィルタ装置全体を乾燥通気ダクトの内部に設置することで、フィルタ装置による糸くずの遮断面積を拡大し、濾過効率を向上させる。
【課題を解決するための手段】
【０００８】
上記の技術的課題を解決すべく、本発明で採用する技術手段の基本思想について以下に述べる。
【０００９】
衣類乾燥機であって、前方支持部とフィルタ装置を含む。前記前方支持部には乾燥通気ダクトが設置されており、乾燥通気ダクトの排風口が衣類乾燥機内部の循環通気ダクトと連通している。また、通気ダクトの吸風口は衣類乾燥機の衣類処理室と連通している。前記フィルタ装置は、前記吸風口から通気ダクトの内部に挿入及び装着されるとともに、乾燥通気ダクトの断面全体を覆う。
【００１０】
好ましくは、前記フィルタ装置は、前記吸風口から前記乾燥通気ダクトの内部に対し全体が挿抜される。
【００１１】
上記の手段では、フィルタ装置全体を乾燥通気ダクトの内部に設置することで省スペース化を図っているため、乾燥通気ダクトの吸風口箇所又は乾燥通気ダクトの内部にフィルタ装置をもう１つ設置しやすい。これにより、従来技術では乾燥通気ダクトのスペースが狭いことからフィルタネットを１層しか設置できないとの課題が解決される。また、空気抵抗が大きくなり、フィルタネットが目詰まりしやすいことからフィルタネットのメッシュ数を十分に大きくできないとの点については、本発明では、フィルタ装置全体を乾燥通気ダクトの内部に設置することで、フィルタ装置による糸くずの遮断面積を拡大し、濾過効率を向上させる。
【００１２】
また、フィルタ装置は、前記吸風口から前記乾燥通気ダクトの内部に対し全体が挿抜される。よって、乾燥通気ダクトの構造を簡略化するのに有利であり、従来技術のように、フロントパネルにフィルタ装置の着脱口を開設せねばならないためにフロントパネルの一体的視覚効果を全体として損なうということがない。また、仮に前方支持部にフィルタ装置の着脱口を開設した場合には、前方支持部の構造強度にとって不利となる。
【００１３】
好ましくは、前記乾燥通気ダクトは装着室を含み、装着室は乾燥通気ダクトの排風口に対向して設置される。前記フィルタ装置は、前記装着室の内部に装着されて前記排風口を覆う。
【００１４】
上記の手段において、前記装着室の内部にはフィルタ装置を固定する固定構造が備わっている。例えば、装着室の内部には挟持部が設けられており、前記フィルタ装置が前記装着室の内部に挟持されて固定される。或いは、前記装着室の内部には挿入溝が設けられている。前記フィルタ装置はシート状構造をなしており、前記挿入溝に挿接されることで位置規制される。
【００１５】
好ましくは、前記乾燥通気ダクトは前記装着室と連通する案内部を含み、案内部によって前記装着室に対するフィルタ装置の挿抜を案内する。
【００１６】
好ましくは、前記装着室は乾燥通気ダクトの排風口箇所に位置するため、乾燥通気ダクト内にフィルタ装置をもう１つ設置しやすい。
【００１７】
好ましくは、前記案内部は傾斜状又は垂直に設けられる経路である。前記経路は前記装着室と連通しており、前記フィルタ装置は当該経路に沿って前記装着室の内部に装着される。
【００１８】
好ましくは、前記案内部の基端は前記装着室の入口と連通しており、案内部は、フィルタ装置を装着室の内部における固定構造に直接固定するよう案内する。
【００１９】
好ましくは、前記フィルタ装置はシート状構造をなしており、前記装着室はフィルタ装置の形状と一致している。シート状構造のフィルタ装置は、全体が前記装着室の内部に装着されて装着室の横断面を覆う。
【００２０】
上記の手段では、装着室とフィルタ装置の形状が一致しており、フィルタ装置全体が装着室の内部に位置する。そのため、シート状構造の表面全体で糸くずを遮断して濾過することが可能となり、濾過効率が向上する。また、メッシュ数の大きなフィルタネットを設置してもフィルタネットが目詰まりしにくく、大きな空気抵抗を生じることがない。
【００２１】
好ましくは、前記案内部は傾斜状に設けられる経路であり、前記フィルタ装置は、前記案内部の両側の内壁を回避する斜辺構造を有している。
【００２２】
好ましくは、前記フィルタ装置のうち前記傾斜状の案内部と接触する両側辺には互いに平行な斜辺が設けられている。
【００２３】
上記の手段では、案内部が傾斜状に設けられ、案内部の両側壁が斜面構造となっているため、特に、フィルタ装置のうち前記傾斜状の案内部と接触する両側辺に互いに平行な斜辺を設けている。これにより、フィルタネットと案内部との係合が容易になるとともに、フィルタネットの面積を増大させやすいため、濾過性能が向上する。また、前記案内部は傾斜状に設けられるため、衣類乾燥機におけるその他の構造設計を回避可能である。よって、凝縮器の設計を回避しやすく、コンパクトな衣類乾燥機構造が設計される。
【００２４】
好ましくは、前記傾斜状の案内部は互いに連通する第１傾斜経路と第２傾斜経路を含む。第１傾斜経路の入口は前記吸風口である。前記第１傾斜経路の傾斜度は第２傾斜経路よりも大きい。
【００２５】
好ましくは、前記第１傾斜経路と第２傾斜経路は滑らかに移行する。
【００２６】
上記の手段では、傾斜状の案内部を両端の傾斜角度が異なる経路としているため、フィルタ装置を装着しやすい。また、第１傾斜経路の傾斜角度を大き目に設計しているため、フィルタ装置を乾燥通気ダクトに配置しやすく、フィルタ装置の装着が容易となる。
【００２７】
前記案内部は、水平方向の横断面の横方向の長さが、フィルタ装置を水平面に投影したときの長さのうち最大の横方向の長さよりも大きい。
【００２８】
前記装着室と案内部を連通する連通口は、水平方向における横方向の長さがフィルタ装置を水平面に投影したときの長さよりも大きい。
【００２９】
上記の手段では、案内部の水平方向における横断面のサイズを、フィルタ装置が案内部の内部に進入しやすいサイズとすることで、フィルタ装置の正常な装着を保証している。また、案内部を傾斜状構造とした場合に、装着室と案内部を連通する連通口の水平方向における横方向の長さを、水平方向にフィルタ装置を投影したときの長さよりも大きくすることで、フィルタ装置が案内部から装着室に進入可能となるよう保証している。好ましくは、前記フィルタ装置はシート状構造をなしており、前記連通口の水平方向における横方向の長さがシート状構造の対角線の長さよりも大きい。
【００３０】
好ましくは、前記フィルタ装置は、サイドフレームと、サイドフレームの内側に設置されるフィルタネットと、摘み部を含む。前記摘み部はサイドフレームに設けられるとともに、フィルタネットと同一平面に位置する。
【００３１】
前記摘み部は、乾燥通気ダクトの吸風口端に面して設置されるため、ユーザは摘み部を摘まんでフィルタ装置を取り出しやすい。
【００３２】
好ましくは、前記乾燥通気ダクトの吸風口箇所に吸風フィルタ装置が設置されている。
【００３３】
好ましくは、前記吸風フィルタ装置はシート状構造をなしている。前記吸風フィルタ装置は、前記吸風口から乾燥通気ダクトの吸風口箇所に挿接及び固定され、乾燥過程において１回目の濾過を行う。また、乾燥通気ダクトの内部に装着されたフィルタ装置で２回目の濾過を行うことで濾過効果を向上させる。
【００３４】
或いは、前記前方支持部には、前記乾燥通気ダクトと連通する挿入口が設置されており、前記吸風フィルタ装置は、当該挿入口から前記吸風口箇所に挿入される。
【００３５】
或いは、前記吸風フィルタ装置は吸風口の上部を覆うように装着され、前記吸風口を覆うことで衣類を遮断する作用を奏する。
【００３６】
好ましくは、前記吸風フィルタ装置のフィルタネットのメッシュ数は、乾燥通気ダクトの内部に設置されるフィルタ装置のフィルタネットのメッシュ数よりも小さい。当該吸風フィルタ装置は、乾燥過程において、糸くずに対する１回目の濾過を実施する際に比較的大きな糸くずを濾過する。また、乾燥通気ダクトの内部に設置されるフィルタ装置は、吸風フィルタ装置から乾燥通気ダクトに進入した細かい糸くずを濾過するために用いられる。これら２段階のフィルタ装置を組み合わせて濾過することで、良好な濾過効果を達成可能である。
【００３７】
なお、言うまでもなく、前記吸風フィルタ装置は全体を乾燥通気ダクトの内部に設け、フィルタ装置の上流位置に配置してもよい。
【発明の効果】
【００３８】
上記の技術手段を用いることで、本発明は以下の有益な効果を有する。
【００３９】
１．本発明では、前方支持部の内部スペースにフィルタ装置全体を収容及び装着可能である。これにより、従来技術では乾燥通気ダクトのスペースが狭いことからフィルタネットを１層しか設置できないとの課題が解決される。また、空気抵抗が大きくなり、フィルタネットが目詰まりしやすいことからフィルタネットのメッシュ数を十分に大きくできないとの点については、本発明では、フィルタ装置全体を乾燥通気ダクトの内部に設置することで、フィルタ装置による糸くずの遮断面積を拡大し、濾過効率を向上させる。
【００４０】
２．本発明において、乾燥通気ダクトは衣類乾燥機の衣類処理室と連通する吸風口を含む。前記フィルタ装置は、前記吸風口から前記乾燥通気ダクトの内部に対し全体が挿抜される。また、フィルタ装置は、前記吸風口から前記乾燥通気ダクトの内部に対し全体が挿抜されるため、乾燥通気ダクトの構造を簡略化するのに有利であり、従来技術のように、フロントパネルにフィルタ装置の着脱口を開設せねばならないためにフロントパネルの一体的視覚効果を全体として損なうということがない。且つ、仮に前方支持部にフィルタ装置の着脱口を開設した場合には、前方支持部の構造強度にとって不利となる。
【００４１】
３．本発明において、案内部は傾斜状又は垂直に設けられる経路である。前記経路は前記装着室と連通しており、前記フィルタ装置は当該経路に沿って前記装着室の内部に装着される。前記案内部の基端は前記装着室の入口と連通しており、案内部は、フィルタ装置を装着室の内部における固定構造に直接固定するよう案内する。
【００４２】
４．本発明において、前記フィルタ装置はシート状構造をなしており、前記装着室はフィルタ装置の形状と一致している。シート状構造のフィルタ装置は、全体が前記装着室の内部に装着されて装着室の横断面を覆う。装着室とフィルタ装置の形状が一致しており、フィルタ装置全体が装着室の内部に位置するため、シート状構造の表面全体で糸くずを遮断して濾過することが可能となり、濾過効率が向上する。また、メッシュ数の大きなフィルタネットを設置してもフィルタネットが目詰まりしにくく、大きな空気抵抗を生じることがない。
【００４３】
５．本発明において、前記案内部は傾斜状に設けられる経路であり、前記フィルタ装置は、前記案内部の両側の内壁を回避する斜辺構造を有している。好ましくは、前記フィルタ装置のうち前記傾斜状の案内部と接触する両側辺には互いに平行な斜辺が設けられている。案内部が傾斜状に設けられ、案内部の両側壁が斜面構造となっているため、特に、フィルタ装置のうち前記傾斜状の案内部と接触する両側辺に互いに平行な斜辺を設けている。これにより、フィルタネットと案内部との係合が容易になるとともに、フィルタネットの面積を増大させやすいため、濾過性能が向上する。また、前記案内部は傾斜状に設けられるため、衣類乾燥機におけるその他の構造設計を回避可能である。よって、凝縮器の設計を回避しやすく、コンパクトな衣類乾燥機構造が設計される。
【００４４】
６．本発明において、乾燥通気ダクトの吸風口箇所には吸風フィルタ装置が設置されており、前記吸風フィルタ装置はシート状構造をなしている。前記吸風フィルタ装置は、前記吸風口から乾燥通気ダクトの吸風口箇所に挿接及び固定され、乾燥過程において１回目の濾過を行う。また、乾燥通気ダクトの内部に装着されたフィルタ装置で２回目の濾過を行うことで濾過効果を向上させる。
【００４５】
以下に、図面を組み合わせて、本発明の具体的実施形態につき更に詳細に述べる。
【００４６】
図面は本願の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００４７】
【図１】図１は、本発明の衣類乾燥機の前方支持構造を示す図である。
【発明を実施するための形態】
【００４８】
なお、これらの図面及び文字記載は何らかの方式で本発明の構想の範囲を制限するとの意図ではなく、特定の実施例を参照して当業者に本発明の概念を説明するためのものである。
【００４９】
本発明における実施例の目的、技術手段及び利点をより明確とすべく、以下では本発明の実施例にかかる図面を組み合わせて、実施例の技術手段につき明瞭簡潔に述べる。なお、以下の実施例は本発明を説明するためのものであって、本発明の範囲を制限するものではない。
【００５０】
本発明の記載において、「上」、「下」、「内」、「外」等の用語で示される方向又は位置関係は、図示に基づく方向又は位置関係であり、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００５１】
本発明の記載において、別途明確に規定及び限定しない限り、「装着する」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【００５２】
本発明は、前方支持部１とフィルタ装置５を含む衣類乾燥機を提供する。前記前方支持部１には乾燥通気ダクトが設置されており、乾燥通気ダクトの排風口が衣類乾燥機内部の循環通気ダクトと連通している。また、乾燥通気ダクトの吸風口は衣類乾燥機の衣類処理室と連通している。前記フィルタ装置は、前記吸風口から通気ダクトの内部に挿入及び装着されるとともに、乾燥通気ダクトの断面全体を覆う。
【００５３】
好ましくは、前記フィルタ装置５は、前記吸風口から前記乾燥通気ダクトの内部に対し全体が挿抜される。
【００５４】
上記の手段では、フィルタ装置５全体を乾燥通気ダクトの内部に設置することで省スペース化を図っているため、乾燥通気ダクトの吸風口箇所又は乾燥通気ダクトの内部にフィルタ装置をもう１つ設置しやすい。これにより、従来技術では乾燥通気ダクトのスペースが狭いことからフィルタネットを１層しか設置できないとの課題が解決される。また、空気抵抗が大きくなり、フィルタネットが目詰まりしやすいことからフィルタネットのメッシュ数を十分に大きくできないとの点については、本発明では、フィルタ装置５全体を乾燥通気ダクトの内部に設置することで、フィルタ装置による糸くずの遮断面積を拡大し、濾過効率を向上させる。
【００５５】
また、フィルタ装置５は、前記吸風口から前記乾燥通気ダクトの内部に対し全体が挿抜される。よって、乾燥通気ダクトの構造を簡略化するのに有利であり、従来技術のように、フロントパネルにフィルタ装置の着脱口を開設せねばならないためにフロントパネルの一体的視覚効果を全体として損なうということがない。また、仮に前方支持部１にフィルタ装置の着脱口を開設した場合には、前方支持部１の構造強度にとって不利となる。
【００５６】
好ましくは、前記乾燥通気ダクトは装着室２を含む。装着室２は乾燥通気ダクトの排風口に対向して設置される。前記フィルタ装置は、前記装着室２の内部に装着されて前記排風口を覆う。
【００５７】
上記の手段において、前記装着室２の内部にはフィルタ装置５を固定する固定構造が備わっている。例えば、装着室２の内部には挟持部が設けられており、前記フィルタ装置５が前記装着室２の内部に挟持されて固定される。或いは、前記装着室２の内部には挿入溝が設けられている。前記フィルタ装置５はシート状構造をなしており、前記挿入溝に挿接されることで位置規制される。
【００５８】
好ましくは、前記乾燥通気ダクトは前記装着室２と連通する案内部を含み、案内部によって前記装着室２に対するフィルタ装置の挿抜を案内する。
【００５９】
好ましくは、前記装着室２は乾燥通気ダクトの排風口箇所に位置するため、乾燥通気ダクト内にフィルタ装置をもう１つ設置しやすい。
【００６０】
好ましくは、前記案内部は傾斜状又は垂直に設けられる経路である。前記経路は前記装着室２と連通しており、前記フィルタ装置５は当該経路に沿って前記装着室２の内部に装着される。
【００６１】
好ましくは、前記案内部の基端は前記装着室２の入口と連通しており、案内部は、フィルタ装置を装着室２の内部における固定構造に直接固定するよう案内する。
【００６２】
好ましくは、前記フィルタ装置５はシート状構造をなしており、前記装着室２はフィルタ装置５の形状と一致している。シート状構造のフィルタ装置は全体が前記装着室２の内部に装着され、装着室２の横断面を覆う。
【００６３】
上記の手段では、装着室２とフィルタ装置５の形状が一致しており、フィルタ装置５全体が装着室２の内部に位置する。そのため、シート状構造の表面全体で糸くずを遮断して濾過することが可能となり、濾過効率が向上する。また、メッシュ数の大きなフィルタネットを設置してもフィルタネットが目詰まりしにくく、大きな空気抵抗を生じることがない。
【００６４】
好ましくは、前記案内部は傾斜状に設けられる経路であり、前記フィルタ装置５は、前記案内部の両側の内壁を回避する斜辺構造を有している。
【００６５】
好ましくは、前記フィルタ装置のうち前記傾斜状の案内部と接触する両側辺には互いに平行な斜辺が設けられている。
【００６６】
上記の手段では、案内部が傾斜状に設けられ、案内部の両側壁が斜面構造となっているため、特に、フィルタ装置５のうち前記傾斜状の案内部と接触する両側辺に互いに平行な斜辺を設けている。これにより、フィルタネットと案内部との係合が容易になるとともに、フィルタネットの面積を増大させやすいため、濾過性能が向上する。また、前記案内部は傾斜状に設けられるため、衣類乾燥機におけるその他の構造設計を回避可能である。よって、凝縮器の設計を回避しやすく、コンパクトな衣類乾燥機構造が設計される。
【００６７】
好ましくは、前記傾斜状の案内部は互いに連通する第１傾斜経路３と第２傾斜経路４を含む。第１傾斜経路３の入口は前記吸風口である。前記第１傾斜経路３の傾斜度は第２傾斜経路４よりも大きい。
【００６８】
好ましくは、前記第１傾斜経路３と第２傾斜経路４は滑らかに移行する。
【００６９】
上記の手段では、傾斜状の案内部を両端の傾斜角度が異なる経路としているため、フィルタ装置を装着しやすい。また、第１傾斜経路３の傾斜角度を大き目に設計しているため、フィルタ装置５を乾燥通気ダクトに配置しやすく、フィルタ装置５の装着が容易となる。
【００７０】
前記案内部は、水平方向の横断面の横方向の長さが、フィルタ装置５を水平面に投影したときの長さのうち最大の横方向の長さよりも大きい。
【００７１】
前記装着室と案内部を連通する連通口は、水平方向における横方向の長さが、フィルタ装置５を水平面に投影したときの長さよりも大きい。
【００７２】
上記の手段では、案内部の水平方向における横断面のサイズを、フィルタ装置５が案内部の内部に進入しやすいサイズとすることで、フィルタ装置５の正常な装着を保証している。また、案内部を傾斜状構造とした場合に、装着室と案内部を連通する連通口の水平方向における横方向の長さを、水平方向にフィルタ装置５を投影したときの長さよりも大きくすることで、フィルタ装置５が案内部から装着室に進入可能となるよう保証している。好ましくは、前記フィルタ装置５はシート状構造をなしており、前記連通口の水平方向における横方向の長さがシート状構造の対角線の長さよりも大きい。
【００７３】
好ましくは、前記フィルタ装置５は、サイドフレーム５２と、サイドフレーム５２の内側に設置されるフィルタネット５１と、摘み部５３を含む。前記摘み部５３はサイドフレーム５２に設けられるとともに、フィルタネット５１と同一平面に位置する。
【００７４】
前記摘み部５３は、乾燥通気ダクトの吸風口端に面して設置されるため、ユーザは摘み部５３を摘まんでフィルタ装置を取り出しやすい。
【００７５】
好ましくは、前記乾燥通気ダクトの吸風口箇所に吸風フィルタ装置が設置されている。
【００７６】
好ましくは、前記吸風フィルタ装置はシート状構造をなしている。前記吸風フィルタ装置は、前記吸風口から乾燥通気ダクトの吸風口箇所に挿接及び固定され、乾燥過程において１回目の濾過を行う。また、乾燥通気ダクトの内部に装着されたフィルタ装置で２回目の濾過を行うことで濾過効果を向上させる。
【００７７】
或いは、前記前方支持部１には、前記乾燥通気ダクトと連通する挿入口が設置されており、前記吸風フィルタ装置は、当該挿入口から前記吸風口箇所に挿入される。
【００７８】
或いは、前記吸風フィルタ装置は吸風口の上部を覆うように装着され、前記吸風口を覆うことで衣類を遮断する作用を奏する。
【００７９】
好ましくは、前記吸風フィルタ装置のフィルタネットのメッシュ数は、乾燥通気ダクトの内部に設置されるフィルタ装置のフィルタネットのメッシュ数よりも小さい。当該吸風フィルタ装置は、乾燥過程において、糸くずに対する１回目の濾過を実施する際に比較的大きな糸くずを濾過する。また、乾燥通気ダクトの内部に設置されるフィルタ装置は、吸風フィルタ装置から乾燥通気ダクトに進入した細かい糸くずを濾過するために用いられる。これら２段階のフィルタ装置を組み合わせて濾過することで、良好な濾過効果を達成可能である。
【００８０】
なお、言うまでもなく、前記吸風フィルタ装置は全体を乾燥通気ダクトの内部に設け、フィルタ装置５の上流位置に配置してもよい。
【００８１】
以上は本発明の好ましい実施例にすぎず、本発明を何らかの形式に限定するものではない。本発明については好ましい実施例によって上記のように開示したが、本発明を限定するとの主旨ではない。本発明の技術手段を逸脱しない範囲において、当業者が上記で提示した技術内容を用いて行うわずかな変形或いは補足は、同等に変形された等価の実施例とみなされ、いずれも本発明の技術手段の内容を逸脱するものではない。また、本発明の技術的本質に基づいて上記の実施例に加えられる簡単な修正、同等の変形及び補足は、いずれも本発明の手段の範囲内とされる。
【符号の説明】
【００８２】
１  前方支持部
２  装着室
３  第１傾斜経路
４  第２傾斜経路
５  フィルタ装置
５１  フィルタネット
５２  サイドフレーム
５３  摘み部
【図１】
2021501664.tif 000003
【国際調査報告】
2021501664.tif 000004
2021501664.tif 000005
2021501664.tif 000006
2021501664.tif 000007